(57)【要約】【課題】廊下灯に表示される呼び出し操作を行った患者以外の患者の個人情報を保護しつつ、呼び出しを行った患者の患者情報およびその患者の位置情報を見易く表示するとともに、その患者の位置を医療従事者が直感的に理解できるようにする。【解決手段】常態において、ベッドの数に応じて分割された複数の表示領域ａ〜ｄにベッドを使用する患者の個人情報を表示しており、呼び出し操作が行われた場合に、呼び出し操作を行った患者以外の患者の表示領域ｂ〜ｄの個人情報を覆い、全ての表示領域ａ〜ｄの一部が見えるように、呼び出し操作を行った患者の表示領域ａを拡大表示Ａするとともに、その表示領域ａを他の表示領域ｂ〜ｄと異ならせるように表示ａ´するので、医療従事者は呼び出し操作を行った患者の患者情報および位置情報を見易く感じ、その患者の位置を直感的に理解することができる。また、その他の患者の個人情報を保護することができる。【選択図】  図３
2010005061.tif 000002
【特許請求の範囲】
【請求項１】
患者による呼び出し操作により呼出信号を生成して出力するナースコール子機と、
病室内のベッドの数に応じて分割された複数の表示領域に前記ベッドを使用する患者の個人情報を含む患者情報を常態にて表示し、前記ナースコール子機から前記呼出信号を入力した場合に、入力した前記呼出信号によって前記呼び出し操作を行った患者を特定し、その患者以外の患者の前記常態における表示領域の前記個人情報を覆い、前記常態における全ての表示領域の一部が見えるように前記呼び出し操作を行った患者の表示領域を拡大表示するとともに、前記呼び出し操作を行った患者の前記常態における表示領域を他の表示領域と異ならせるように表示する廊下灯と、
を備えたナースコールシステム。
【発明の詳細な説明】
【技術分野】
【０００１】
本発明は、病院や介護施設などで患者や被介護者からの要求に応じて看護師や介護者を呼び出すナースコールシステムに関する。
【背景技術】
【０００２】
従来、ナースコールシステムでは、患者や被介護者（以下、患者と記載する）の近辺（例えば、ベッド近傍など）に設置されたナースコール子機と看護師や介護者（以下、医療従事者と記載する）の居る部屋などに設置されたナースコール親機とを有線や無線などにより接続している。また、ナースコール子機とナースコール親機との間には廊下灯や制御機などが接続されている。
【０００３】
ここで、廊下灯は、病室などの部屋の出入口近傍の廊下側の壁面に取り付けられている。また、廊下灯は、取り付けられている病室の番号やその病室に入院している患者の氏名などの患者情報を表示している。また、廊下灯は、ナースコール親機と連動しており、ベッド近傍に設置されたナースコール子機により患者が呼び出しを行うと、ナースコール子機は、ナースコール親機、医療従事者が携帯する無線端末装置に呼び出しを通知するとともに、廊下灯に呼び出しを通知する。このとき、廊下灯は廊下灯に設けた点灯装置を点灯させる。これにより、医療従事者は、呼び出しを行った患者が居る病室を特定することができる。
【０００４】
ところで、タッチパネル付きの液晶ディスプレイにより廊下灯の表示部を構成し、タッチパネルをタッチしたときに患者の氏名などの患者情報を一定時間表示する技術が知られている（例えば、特許文献１など）。
【特許文献１】特開平１０−１９２３４９号公報
【０００５】
しかしながら、この特許文献１に記載の技術では、病室内に複数のベッドが存在するような場合に、廊下灯の表示部に複数の患者の氏名が同時に表示されてしまうので、患者の個人情報を必要以上に露出してしまうという問題があった。
【０００６】
このような問題を解決するために、液晶ディスプレイにより廊下灯の表示部を構成し、病室内の複数の患者の患者情報を表示部に表示する場合に、患者の数に応じた患者個々の表示領域を設け、呼び出しを行った患者の表示領域のみに患者情報を表示する技術が知られている（例えば、特許文献２など）。
【特許文献２】特開２００６−２１０２９号公報
【０００７】
しかしながら、この特許文献２に記載の技術では、複数の患者の患者情報を表示する際に、表示領域を患者の数で分割して表示するため、一つの表示領域が小さくなり、患者情報が見難くなってしまうという問題があった。特に、呼び出しを行った患者の患者情報は医療従事者にとって見易く表示することが必要であった。
【０００８】
このような問題を解決するために、患者の数に応じた複数の表示領域を設け、呼び出しを行った患者の患者情報を複数の表示領域を用いて拡大表示し、呼び出しを行った患者の位置を示す位置情報を患者情報とともに表示する技術が知られている（例えば、特許文献３など）。
【特許文献３】特開２００７−２２８９８４号公報
【０００９】
しかしながら、この特許文献３に記載の技術では、患者情報とともに表示される位置情報が画面内の所定の箇所にまとめて小さく表示されるので、医療従事者が位置情報を探しにくかったり、見難く感じてしまったりするという問題があった。また、患者の数に応じた複数の表示領域を表示した場合と表示形式が異なるため、医療従事者が患者の位置を直感的に理解することができないという問題があった。
【発明の開示】
【発明が解決しようとする課題】
【００１０】
本発明は、このような問題を解決するために成されたものであり、液晶ディスプレイなどの表示装置によって廊下灯の表示部を構成し、呼び出しが行われた場合に、廊下灯の表示部に表示される呼び出しを行った患者以外の患者の個人情報を保護しつつ、呼び出しを行った患者の患者情報およびその患者の位置情報を見易く表示するとともに、呼び出しを行った患者の位置を医療従事者が直感的に理解できるようにすることを目的とする。
【課題を解決するための手段】
【００１１】
上述した課題を解決するために、本発明では、呼び出しが行われていない常態において、病室内のベッドの数に応じて分割された複数の表示領域にベッドを使用する患者の個人情報を含む患者情報を表示しており、ナースコール子機により呼び出し操作が行われた場合に、呼び出し操作を行った患者以外の患者の常態における表示領域の個人情報を覆い、常態における全ての表示領域の一部が見えるように呼び出し操作を行った患者の表示領域を拡大表示するとともに、呼び出し操作を行った患者の常態における表示領域を他の表示領域と異なるように表示するようにしている。
【発明の効果】
【００１２】
上記のように構成した本発明によれば、呼び出し操作を行った患者の表示領域を拡大表示する際に、全ての表示領域の一部が見えるように、呼び出し操作を行った患者の表示領域が拡大表示され、呼び出し操作を行った患者の表示領域と他の表示領域とが異なる表示形態により表示されるので、呼び出し操作を行った患者の表示領域とその他の表示領域との位置関係が明確に表示される。これにより、医療従事者は呼び出し操作を行った患者の患者情報およびその患者の位置情報を見易く感じるとともに、その患者の位置を直感的に理解することができる。また、呼び出し操作を行った患者の表示領域が拡大表示されることによりその他の表示領域の個人情報が覆われて表示されなくなるので、呼び出し操作を行った患者以外の患者の個人情報を適切に保護することができる。
【発明を実施するための最良の形態】
【００１３】
以下、本発明の一実施形態を図面に基づいて説明する。図１は、本実施形態によるナースコールシステム全体の構成例を示す図である。図１に示すように、本実施形態によるナースコールシステムは、ナースコール子機１、ナースコール親機１０、制御機２０、廊下灯３０を備えて構成されている。
【００１４】
また、ナースコール子機１は、操作ユニット１ａおよびウォールユニット１ｂにより構成されている。操作ユニット１ａは、病室の各患者が手元で呼び出し操作や通話ができるようにウォールユニット１ｂのコンセントに接続されている。操作ユニット１ａは、患者が医療従事者を呼び出すための呼び出しボタン１ｃ、患者が医療従事者と会話を行う際に使用するマイク（図示せず）およびスピーカ（図示せず）を備えている。ウォールユニット１ｂは、病室の各患者のベッドサイドの壁面に埋め込まれており、廊下灯３０に接続されている。また、ウォールユニット１ｂは、医療従事者が緊急時に他の看護師などを呼び出すための呼び出しボタン（図示せず）、患者が医療従事者を呼び出したときに、看護師が操作して元の状態に戻すための復旧ボタン１ｄ、操作ユニット１ａを接続するためのコンセントを備えている。また、ウォールユニット１ｂは、患者が医療従事者と会話を行う際に使用するマイクおよびスピーカを必要に応じて備える。
【００１５】
ナースコール親機１０は、例えば、医療従事者が常駐するナースセンターなどに設置される。また、ナースコール親機１０は、ハンドセット１０ａを備えている。ハンドセット１０ａは、患者からの呼び出し（ナースコール子機１による呼び出し）に対する応答の操作または患者（ナースコール子機１）を呼び出す操作を行うためのものである。
【００１６】
制御機２０は、通話やデータの送受信に関する制御を行う。廊下灯３０は、病室の出入口近傍の壁面などに病室毎に設置され、病室内の患者名などの患者情報を表示する。また、廊下灯３０は、病室内の患者が医療従事者の呼び出しを行うと、呼び出しが行われたことを画面３０ａに表示する。ここで、廊下灯３０に使用されるディスプレイは、タッチパネル付きの液晶パネルなどが使用される。また、病室内の患者が医療従事者の呼び出しを行った場合に、医療従事者が画面３０ａを操作すると、呼び出し動作を解除する復旧の操作の機能を廊下灯３０は必要に応じて備えている。
【００１７】
図２は、本実施形態によるナースコールシステムの要部の構成例を示すブロック図である。図２によれば、ナースコール子機１は、操作部２、子機インターフェース３を備えて構成されている。また、廊下灯３０は、廊下灯インターフェース３１、記憶部３２、制御部３３、表示制御部３４、表示部３５を備えて構成されている。
【００１８】
図１および図２において、ナースコール子機１は、患者が入院している病室内のベッドなどに取り付けられており、伝送線を介して廊下灯３０に接続されている。ここで、複数のナースコール子機１は、一つの廊下灯３０に対して識別可能に接続されている。なお、ナースコール子機１と廊下灯３０とが１：１で接続されていても良いが、本件の対象となるのは、一つの廊下灯３０に対してナースコール子機１が２台以上接続されているものである。
【００１９】
廊下灯３０は、病室毎に設けられており、伝送線を介してナースコール親機１０に接続されている。ここで、複数の廊下灯３０は、一つのナースコール親機１０に対して識別可能に接続されている。
【００２０】
ナースコール子機１の操作部２は、患者による操作により呼出信号を生成する。ここで、操作部２は、呼び出しボタン１ｃおよび患者の操作により呼出信号を生成する呼出信号生成部（図示せず）を含む。患者は、医療従事者を呼び出したい場合に、呼び出しボタン１ｃを操作する。すると、呼出信号生成部は、呼出信号を生成する。子機インターフェース３は、ナースコール子機１と廊下灯３０とを通信可能に接続し、操作部２により生成された呼出信号を廊下灯３０に出力する。
【００２１】
廊下灯インターフェース３１は、廊下灯３０とナースコール子機１とを通信可能に接続し、ナースコール子機１にて生成された呼出信号を入力する。また、廊下灯インターフェース３１は、廊下灯３０とナースコール親機１０とを制御機２０を介して通信可能に接続する。記憶部３２は、廊下灯３０が設置された病室に入院している患者の患者情報を患者の位置情報（例えば、ベッド番号などの病室内におけるベッド位置を特定する情報）と共に予め記憶しておく。制御部３３は、廊下灯３０の各構成要素を制御する。
【００２２】
ここで、患者情報は、少なくとも患者の氏名などの個人情報を含む情報である。なお、患者情報および位置情報が必要になる度にナースコール親機１０から患者情報および位置情報を取得するようにすれば、記憶部３２は不要となる。
【００２３】
表示制御部３４は、記憶部３２に記憶されている患者情報に基づいて、図３に示す患者情報を示す画面３０ａを生成し、表示部３５に表示したり、非表示としたりする。表示部３５は、表示制御部３４にて生成された画面３０ａを表示する。また、表示制御部３４は、廊下灯インターフェース３１が呼出信号を入力すると、呼び出しが行われたことを示す表示制御を行う。本実施形態では、呼び出しが行われていない状態を常態と呼ぶ。
【００２４】
具体的には、表示制御部３４は、患者情報の表示領域を赤や黄、青などの目立つ色に着色して表示部３５に表示したり、患者情報の表示領域の枠を着色して表示部３５に表示したりする。また、表示制御部３４は、呼び出しが行われた後に図示しない復旧の操作が行われた場合に、元の表示に戻す。
【００２５】
制御部３３は、廊下灯インターフェース３１がナースコール子機１から呼出信号を入力していない場合（換言するとナースコール子機１により呼び出しが行われていない常態の場合）に、下記の動作を行う。制御部３３は、廊下灯３０が設置されている病室内の全ての患者の患者情報をその患者の位置を示す位置情報とともに記憶部３２から読み出して表示制御部３４に出力する。
【００２６】
表示制御部３４は、図３（Ａ）に示すように、複数の患者の患者情報を表示部３５の画面３０ａに表示する際に、表示画面３０ａの表示領域をベッドの数で分割して表示する。ここで、分割された表示領域のうち、左上部分の第一の表示領域ａには、「田中一郎」という患者の個人情報（ここでは氏名）が表示されている。また、分割された表示領域のうち、右上部分の第二の表示領域ｂには、「鈴木次郎」という患者の個人情報が表示されている。また、分割された表示領域のうち、左下部分の第三の表示領域ｃには、「山田太郎」という患者の個人情報が表示されている。また、分割された表示領域のうち、右下部分の第四の表示領域ｄには、患者が存在しないため「空き」という情報が表示されている。
【００２７】
このように表示された常態の画面３０ａにおける各患者の表示領域の位置は、実際の病室内における患者の位置を表している。つまり、病室の入り口から病室内を見た場合に、左奥に該当するのが第一の表示領域ａ、右奥に該当するのが第二の表示領域ｂ、左手前に該当するのが第三の表示領域ｃ、右手前に該当するのが第四の表示領域ｄとなる。
【００２８】
なお、本実施形態では、廊下灯インターフェース３１がナースコール子機１から呼出信号を入力していない場合を常態として図３（Ａ）に示すような表示を行っているが、これに限定されない。例えば、復旧の操作が行われた場合や、廊下灯３０の画面３０ａが医療従事者によってタッチされた場合などを常態として図３（Ａ）に示すような表示を行い、それ以外の場合には、非表示とするようにしても良い。これにより、個人情報の表示をできるだけ控えることができる。
【００２９】
このような状態または図３（Ａ）に示す表示が行われている状態において、ある患者（例えば、「田中一郎」）によりナースコール子機１の操作部２が操作されて呼び出しが行われると、操作部２は、呼出信号を生成する。子機インターフェース３は、操作部２により生成された呼出信号を廊下灯３０に出力する。
【００３０】
廊下灯インターフェース３１がナースコール子機１から出力された呼出信号を入力すると、制御部３３は、廊下灯３０が常態から呼び出し状態に変化したと判断する。また、廊下灯３０が呼び出し状態に変化したと制御部３３にて判断した場合に、制御部３３は、呼び出し操作を行った患者を特定し、その患者の患者情報および位置情報を記憶部３２から抽出して表示制御部３４に出力する。表示制御部３４は、図３（Ｂ）に示すように、呼び出しを行った患者（ここでは、「田中一郎」）の表示領域（第一の表示領域ａ）を表示部３５に拡大表示する。その際に、表示制御部３４は、呼び出し操作を行った患者以外の患者の常態における表示領域（図３（Ａ）の第二の表示領域ｂ、第三の表示領域ｃ、第四の表示領域ｄ）の個人情報（「鈴木次郎」、「山田太郎」、「空き」）を覆い、常態における全ての表示領域（図３（Ａ）の第一の表示領域ａ、第二の表示領域ｂ、第三の表示領域ｃ、第四の表示領域ｄ）の一部が見えるように、呼び出し操作を行った患者（「田中一郎」）の表示領域（第一の表示領域ａ）を拡大して表示領域Ａとして表示部３５に表示する。これと同時に、呼び出し操作を行った患者の常態における表示領域（第一の表示領域ａ）の表示形態を他の表示領域（第二の表示領域ｂ、第三の表示領域ｃ、第四の表示領域ｄ）の表示形態と異ならせて表示する（例えば、色を異ならせた第一の表示領域ａ´とする）。
【００３１】
次に、本実施形態によるナースコールシステムの動作および患者情報表示方法を説明する。図５は、本実施形態によるナースコールシステムの動作および患者情報表示方法を示すフローチャートである。まず、ナースコール子機１にて、操作部２が操作されたか否か（呼出信号が出力されたか否か）をナースコール子機１にて調べる（ステップＳ１）。操作部２が操作されていないとナースコール子機１にて判断した場合には（ステップＳ１にてＮＯ）、ステップＳ１の処理を繰り返す。一方、操作部２が操作されたとナースコール子機１にて判断した場合には（ステップＳ１にてＹＥＳ）、呼び出し信号出力部３は、操作部２により生成された呼出信号を廊下灯３０に出力する（ステップＳ２）。
【００３２】
廊下灯３０では、制御部３３が病室内の患者の患者情報を位置情報とともに記憶部３２から読み出して表示制御部３４に出力する。表示制御部３４は、図３（Ａ）に示すように、病室内の複数の患者の患者情報を表示部３５に表示する際に、表示領域をベッドの数で分割して常態における通常の表示を行う（ステップＳ３）。
【００３３】
この状態において、廊下灯３０では、廊下灯インターフェース３１が呼出信号を入力したか否かを制御部３３にて調べる（ステップＳ４）。廊下灯インターフェース３１が呼出信号を入力していないと制御部３３にて判断した場合には（ステップＳ４にてＮＯ）、ステップＳ３の処理を繰り返す。一方、廊下灯インターフェース３１が呼出信号を入力したと制御部３３にて判断した場合には（ステップＳ４にてＹＥＳ）、制御部３３は、呼び出し操作を行った患者の患者情報および位置情報を記憶部３２から読み出して表示制御部３４に出力する。
【００３４】
表示制御部３４は、呼び出し操作を行った患者以外の患者の表示領域（第二の表示領域ｂ、第三の表示領域ｃ、第四の表示領域ｄ）の個人情報を覆い、常態における全ての表示領域（第一の表示領域ａ、第二の表示領域ｂ、第三の表示領域ｃ、第四の表示領域ｄ）の一部が見えるように、呼び出し操作を行った患者の表示領域（第一の表示領域ａ）を拡大表示（表示領域Ａ）するとともに、呼び出し操作を行った患者の常態における表示領域（第一の表示領域ａ）を他の表示領域（第二の表示領域ｂ、第三の表示領域ｃ、第四の表示領域ｄ）と異ならせるように表示（色を異ならせた第一の表示領域ａ´）する（ステップＳ５）。
【００３５】
そして、制御部３３は、画面３０ａなどがタッチされて復旧の操作が行われたか否かを調べる（ステップＳ６）。復旧の操作が行われていないと制御部３３にて判断した場合には（ステップＳ６にてＮＯ）、ステップＳ６の処理を繰り返す。一方、復旧の操作が行われたと制御部３３にて判断した場合には（ステップＳ６にてＹＥＳ）、ステップＳ３の処理に戻る。
【００３６】
以上詳しく説明したように、本実施形態によれば、ナースコール子機１により呼び出し操作が行われていない常態において、病室内のベッドの数に応じて分割された複数の表示領域にベッドを使用する患者の個人情報を含む患者情報を表示しており、ナースコール子機１により呼び出し操作が行われた場合に、呼び出し操作を行った患者以外の患者の表示領域（第二の表示領域ｂ、第三の表示領域ｃ、第四の表示領域ｄ）の個人情報を覆い、常態における全ての表示領域の一部が見えるように、呼び出し操作を行った患者の表示領域（第一の表示領域ａ）を拡大表示（表示領域Ａ）するとともに、呼び出し操作を行った患者の常態における表示領域（第一の表示領域ａ）を他の表示領域（第二の表示領域ｂ、第三の表示領域ｃ、第四の表示領域ｄ）と異ならせるように表示（色を異ならせた第一の表示領域ａ´）するようにしている。
【００３７】
これにより、呼び出し操作を行った患者の表示領域（第一の表示領域ａ）を拡大表示する際に、全ての表示領域（第一の表示領域ａ、第二の表示領域ｂ、第三の表示領域ｃ、第四の表示領域ｄ）の一部が見えるように、呼び出し操作を行った患者の表示領域（第一の表示領域ａ）が拡大表示（表示領域Ａ）され、呼び出し操作を行った患者の表示領域（色を異ならせた第一の表示領域ａ´）と他の表示領域（第二の表示領域ｂ、第三の表示領域ｃ、第四の表示領域ｄ）とが異なる表示形態により表示されるので、呼び出し操作を行った患者の表示領域（色を異ならせた第一の表示領域ａ´）とその他の表示領域（第二の表示領域ｂ、第三の表示領域ｃ、第四の表示領域ｄ）との位置関係が明確に表示される。したがって、医療従事者は呼び出し操作を行った患者の患者情報およびその患者の位置情報を見易く感じるとともに、その患者の位置を直感的に理解することができる。
【００３８】
また、呼び出し操作を行った患者の表示領域（第一の表示領域ａ）が拡大表示（表示領域Ａ）されることによりその他の表示領域（第二の表示領域ｂ、第三の表示領域ｃ、第四の表示領域ｄ）の個人情報が覆われて表示されなくなるので、呼び出し操作を行った患者以外の患者の個人情報を適切に保護することができる。
【００３９】
なお、前述した実施形態では、全ての表示領域（色を異ならせた第一の表示領域ａ´、第二の表示領域ｂ、第三の表示領域ｃ、第四の表示領域ｄ）の一部が拡大表示された表示領域Ａの上下左右に見えているが、これに限定されない。例えば、図５（Ａ）の常態における表示から図５（Ｂ）の表示に変化した場合に、拡大表示された表示領域Ａの左右のみに全ての表示領域（色を異ならせた第一の表示領域ａ´、第二の表示領域ｂ、第三の表示領域ｃ、第四の表示領域ｄ）の一部が見えるようにしても良い。
【００４０】
また、前述した実施形態では、ナースコール子機１の操作部２により呼び出し操作を行っているのは、一人の患者であるが、これに限定されない。例えば、同時に二人の患者が呼び出し操作を行った場合に、呼び出し操作を行った患者の表示領域の拡大方法を変えることで、複数の患者が同時に呼び出し操作を行った場合の拡大表示を行うようにしても良い。
【００４１】
具体的には、呼び出し操作が行われていない場合には、図３（Ａ）に示すような常態の表示が行われているが、このような状態において、２人の患者（例えば、第二の表示領域ｂの「鈴木次郎」および第三の表示領域ｃの「山田太郎」）によりナースコール子機１の操作部２が操作されて呼び出しが行われると、表示制御部３４は、図６（Ａ）に示すように、呼び出し操作を行った２人の患者の表示領域をそれぞれ拡大表示する。
【００４２】
このとき、第二の表示領域ｂを拡大した表示領域Ｂにより第四の表示領域ｄの個人情報が覆われるとともに、色を異ならせた第二の表示領域ｂ´の一部および第四の表示領域ｄの一部が見えている状態となる。一方、第三の表示領域ｃを拡大した表示領域Ｃにより第一の表示領域ａの個人情報が覆われるとともに、第一の表示領域ａの一部および色を異ならせた第三の表示領域ｃ´の一部が見えている状態となる。
【００４３】
また、図３（Ａ）に示すような常態の表示が行われている場合に、二人の患者（例えば、第一の表示領域ａの「田中一郎」および第三の表示領域ｃの「山田太郎」）によりナースコール子機１の操作部２が操作されて呼び出しが行われると、表示制御部３４は、図６（Ｂ）に示すように、呼び出し操作を行った２人の患者の表示領域をそれぞれ拡大表示する。このとき、第一の表示領域ａを拡大した表示領域Ａにより第二の表示領域ｂの個人情報が覆われるとともに、色を異ならせた第一の表示領域ａ´の一部および第二の表示領域ｂの一部が見えている状態となる。一方、第三の表示領域ｃを拡大した表示領域Ｃにより第四の表示領域ｄの個人情報が覆われるとともに、色を異ならせた第三の表示領域ｃ´の一部および第四の表示領域ｄの一部が見えている状態となる。
【００４４】
また、前述した実施形態では、病室に設置されているベッドの数は４床であるが、これに限定されない。少なくとも２床以上のベッドが存在していれば良いことはもちろんである。例えば、病室内にベッドが６床存在する場合には、常態の表示は図７（Ａ）に示すようなものとなる。ここで、第一の表示領域ａおよび第二の表示領域ｄの拡大表示は、前述した実施形態と同様である（例えば、図２（Ｂ）など）。また、第三の表示領域ｃの拡大表示は、図７（Ｂ）に示すように、上部分と左部分とに第一の表示領域ａが、下部分と左部分とに第五の表示領域ｅが見える状態となり、拡大表示された表示領域Ｃの左側に色を異ならせた第三の表示領域ｃ´が見える状態となる。また、第四の表示領域ｄの拡大表示は、図７（Ｂ）の逆となる。また、第五の表示領域ｅおよび第六の表示領域ｆの拡大表示は、前述した実施形態と同様である。
【００４５】
また、病室内にベッドが２床存在する場合には、常態の表示は図８（Ａ）に示すようなものとなる。ここで、第一の表示領域ａの拡大表示は、図８（Ｂ）に示すように、拡大表示された表示領域Ａが第二の表示領域ｂの個人情報を覆い、拡大表示された表示領域の左側に色を異ならせた第一の表示領域ａ´が見え、左側に第二の表示領域ｂが見える状態となる。
【００４６】
また、前述した実施形態では、全ての表示領域（色を異ならせた第一の表示領域ａ´、第二の表示領域ｂ、第三の表示領域ｃ、第四の表示領域ｄ）の一部が拡大表示された表示領域Ａの上下左右に見えているが、これに限定されない。例えば、図９（Ａ）に示すように、拡大表示された表示領域Ａの上下のみに全ての表示領域（色を異ならせた第一の表示領域ａ´、第二の表示領域ｂ、第三の表示領域ｃ、第四の表示領域ｄ）の一部が見えるようにしても良い。ただし、このような表示方法は、病室内のベッドの数が４床である場合にのみ有効である。
【００４７】
また、前述した実施形態では、記憶部３２や表示制御部３４を廊下灯３０に設けているが、これに限定されない。例えば、ナースコール親機１０などにこれらの構成要素を設けるようにしても良い。
【００４８】
また、前述した実施形態や各種変形例では、呼び出し操作を行った患者以外の患者の表示領域の個人情報を覆い、常態における全ての表示領域の一部が見えるように、呼び出し操作を行った患者の表示領域を拡大表示しているが、これに限定されない。例えば、常態における全ての表示領域の個人情報を非表示とし、呼出操作を行った患者の表示領域を画面の略中央に拡大表示するようにしても良い。これにより、呼び出しを行った患者の表示領域の面積を大きくしつつ、各患者の位置を示す表示領域の面積をも大きくすることができる。
【００４９】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【産業上の利用可能性】
【００５０】
本発明は、病院や介護施設などで患者や被介護者からの要求に応じて看護師や介護者を呼び出すナースコールシステムに有用である。
【図面の簡単な説明】
【００５１】
【図１】本実施形態によるナースコールシステム全体の構成例を示す図である。
【図２】本実施形態によるナースコールシステムの要部の構成例を示すブロック図の表示画面の例を示す図である。
【図３】本実施形態によるナースコールシステムの廊下灯の表示画面の例を示す図である。
【図４】本実施形態によるナースコールシステムの動作および患者情報表示方法を示すフローチャートである。
【図５】本実施形態によるナースコールシステムの廊下灯の表示画面の第一の変形例を示す図である。
【図６】本実施形態によるナースコールシステムの廊下灯の表示画面の第二の変形例を示す図である。
【図７】本実施形態によるナースコールシステムの廊下灯の表示画面の第三の変形例を示す図である。
【図８】本実施形態によるナースコールシステムの廊下灯の表示画面の第四の変形例を示す図である。
【図９】本実施形態によるナースコールシステムの廊下灯の表示画面の第五の変形例を示す図である。
【符号の説明】
【００５２】
１    ナースコール子機
２    操作部
３    子機インターフェース
３０    廊下灯
３１    廊下灯インターフェース
３２    記憶部
３３    制御部
３４    表示制御部
３５    表示部
【図１】
2010005061.tif 000003
【図２】
2010005061.tif 000004
【図３】
2010005061.tif 000005
【図４】
2010005061.tif 000006
【図５】
2010005061.tif 000007
【図６】
2010005061.tif 000008
【図７】
2010005061.tif 000009
【図８】
2010005061.tif 000010
【図９】
2010005061.tif 000011